(57)【特許請求の範囲】
【請求項１】
ステアリングコラムをロック／ロック解除するための盗難防止ステアリングコラムロック装置（１)であって、
−  ステアリングコラムをロックしているロック位置と、解放している解放位置との間で変位可能である舌片（３）と、
−  ハウジング（１２）と、
−  支持構造部材（３０）と、
−  前記盗難防止ステアリングコラムロック装置（１）の前記ハウジング（１２）に対する物理的な攻撃に応答して、前記舌片（３）に形成されている第１の通路（３５）に挿入され、前記ロック位置からの前記舌片（３）の変位を阻止するために解放される挿入部材（５）を有している、前記盗難防止ステアリングコラムロック装置（１）の破壊保護システムと、
−  前記舌片（３）が、前記ステアリングコラムを解放している前記解放位置にあるときにしか、前記舌片（３）に形成されている第２の通路（３７）に挿入されることのないピン（７）を有している取り外し防止システムとを備えている盗難防止ステアリングコラムロック装置（１）において、
前記盗難防止ステアリングコラムロック装置（１）の破壊保護システムと、前記取り外し防止システムとは、前記舌片（３）の同一の側部に配置されており、かつ互いに機械的に接続され、
前記挿入部材（５）と前記ピン（７）との間に、弾性手段（９）が配置されており、該弾性手段（９）は圧縮状態にあり、前記挿入部材（５）と前記ピン（７）とを、互いに逆向きに押し、
前記弾性手段（９）は、前記挿入部材（５）と前記ピン（７）との間における圧縮状態にあるばねである、盗難防止ステアリングコラムロック装置（１）。
【請求項２】
前記盗難防止ステアリングコラムロック装置（１)の前記破壊保護システムと、前記取り外し防止システムとは、互いに適合し合うように構成されている、請求項１に記載の盗難防止ステアリングコラムロック装置（１）。
【請求項３】
前記挿入部材（５）は、第１の保持手段（１４）によって所定の位置に保たれており、前記ピン（７）は、第２の保持手段（１１）によって所定の位置に保たれている、請求項１または２に記載の盗難防止ステアリングコラムロック装置（１）。
【請求項４】
前記第１の保持手段（１４）は、前記ハウジング（１２）の延長部である、請求項３に記載の盗難防止ステアリングコラムロック装置（１）。
【請求項５】
前記第２の保持手段（１１）は、前記盗難防止ステアリングコラムロック装置（１）の前記支持構造部材（３０）に取り付けられており、前記弾性手段（９）の及ぼす力に抗して、前記ピン（７）を支持している固定板（７３）である、請求項３または４に記載の盗難防止ステアリングコラムロック装置（１）。
【請求項６】
前記第２の保持手段（１１）は、前記弾性手段（９）の及ぼす力に抗して、前記ピン（７）を支持している、前記盗難防止ステアリングコラムロック装置（１）のハウジング（１２）の一部である、請求項３または４に記載の盗難防止ステアリングコラムロック装置（１）。
【請求項７】
前記弾性手段（９）のための少なくとも１つの案内手段（２０５、２０７）を、さらに備えている、請求項１〜６のいずれか１つに記載の盗難防止ステアリングコラムロック装置（１）。
【請求項８】
前記挿入部材（５）は、少なくとも１つの案内手段（２０５）を有している、請求項７に記載の盗難防止ステアリングコラムロック装置（１）。
【請求項９】
前記挿入部材（５）は、少なくとも２つの案内手段（２０５）を有しており、該少なくとも２つの案内手段（２０５）の各１つは、前記弾性手段（９）の対向し合う２つの側部のうちのいずれか一方に位置していることを特徴とする、請求項８に記載の盗難防止ステアリングコラムロック装置（１）。
【請求項１０】
前記ピン（７）は、少なくとも１つの案内手段（２０７）を有している、請求項７〜９のいずれか１つに記載の盗難防止ステアリングコラムロック装置（１）。
【請求項１１】
前記ピン（７）は、少なくとも２つの案内手段（２０７）を有しており、該少なくとも２つの案内手段（２０７）の各１つは、前記弾性手段（９）の対向し合う２つの側部のうちのいずれか一方に位置している、請求項１０に記載の盗難防止ステアリングコラムロック装置（１）。
【請求項１２】
前記ピン（７）は、前記ステアリングコラムと組み合うことができる横方向張り出し（７１）を有している、請求項１〜１１のいずれか１つに記載の盗難防止ステアリングコラムロック装置（１）。
【請求項１３】
請求項１〜１２のいずれか１つに記載の盗難防止ステアリングコラムロック装置（１）を備えている自動車。
【発明の詳細な説明】
【技術分野】
【０００１】
本発明は、自動車用の盗難防止ステアリングコラムロック装置に関する。より詳細には、本発明は、ステアリングコラムをロックしているロック位置に舌片を留める装置、および舌片がロック位置にあるときに、盗難防止ステアリングコラムロック装置が取り外されることを防止する装置に関する。
【背景技術】
【０００２】
盗難防止ステアリングコラムロック装置は、自動車を駐車してあるときに、ステアリングコラムの回転を阻止するように構成されている。公知の盗難防止ステアリングコラムロック装置１の概要的な断面図である図１に示すように、舌片３は、ステアリングコラムの回転が可能である解放位置と、ステアリングコラムのリセス内に挿入されており、ステアリングコラムの回転を阻止しているロック位置との間で、支持構造部材３０内を滑動可能である。
【０００３】
盗難防止能力の強化のために、盗難防止ステアリングコラムロック装置１は、さらに、盗難防止ステアリングコラムロック装置１の破壊保護システム（ＢＯＳＳ）を備えている場合がある。盗難防止ステアリングコラムロック装置１のこの破壊保護システムは、盗難防止ステアリングコラムロック装置１のハウジングに対する物理的な攻撃に応答して、舌片３が、そのロック位置から外されることを阻止するために解放され、弾性手段９によって、舌片３に形成されている第１の通路３５内に挿入される挿入部材５を備えている。したがって、自動車泥棒が、盗難防止ステアリングコラムロック装置１内に侵入しようとしても、舌片３は、そのロック位置から変位することはない。
【０００４】
盗難防止ステアリングコラムロック装置１は、さらに、取り外し防止システムを備えている場合がある。この取り外し防止システムは、ステアリングコラムがロックされているときの、ステアリングコラムからの盗難防止ステアリングコラムロック装置１の取り外しを阻止するために、舌片３が解放位置にあるときしか、上述の弾性手段と異なる弾性手段９によって、舌片３に形成されている第２の通路３７内に挿入されることのないピン７を備えている。
【０００５】
しかし、盗難防止ステアリングコラムロック装置１に、破壊保護システムと取り外し防止システムとの両方を組み込むと、コストが上昇し、また盗難防止ステアリングコラムロック装置が大きくなる。
【発明の概要】
【発明が解決しようとする課題】
【０００６】
本発明は、盗難防止ステアリングコラムロック装置の破壊保護システムと取り外し防止システムとの両方を備えている、改良された盗難防止ステアリングコラムロック装置を提供することを第１の目的としている。
【課題を解決するための手段】
【０００７】
この目的を達成するために、本発明は、以下のものを備えている、ステアリングコラムをロック／ロック解除するための盗難防止ステアリングコラムロック装置を提供するものである。
−  ステアリングコラムをロックしているロック位置と、解放している解放位置との間で変位可能である舌片、
−  ハウジング、
−  支持構造部材、
−  盗難防止ステアリングコラムロック装置のハウジングに対する物理的な攻撃に応答して、舌片に形成されている第１の通路に挿入されて、ロック位置からの舌片の変位を阻止するために解放される挿入部材を有している、盗難防止ステアリングコラムロック装置の破壊保護システム、
−  舌片が、ステアリングコラムを解放している解放位置にあるときしか、舌片に形成されている第２の通路に挿入されることのないピンを有している取り外し防止システム。
盗難防止ステアリングコラムロック装置の破壊保護システムと、取り外し防止システムとは、舌片の同じ側部に配置されており、互いに機械的に接続されている。
【０００８】
破壊保護システムと、取り外し防止システムとが、舌片の同一の側部に配置されており、互いに機械的に接続されているから、これらの２つのシステムを、盗難防止ステアリングコラムロック装置に組み込むために必要なスペースは、相当に小となり、より小型で、より安価（部品数がより少ないから）な盗難防止ステアリングコラムロック装置を供給することが可能になる。
【０００９】
本発明の一態様によれば、盗難防止ステアリングコラムロック装置の破壊保護システムと、取り外し防止システムとは、互いに適合し合うように構成されている。
【００１０】
本発明の別の一態様によれば、挿入部材とピンとの間に、弾性手段が配置されており、この弾性手段は圧縮状態にあり、挿入部材とピンとを、互いに逆向きに押している。
【００１１】
挿入部材とピンとの両方を押すために、単一の弾性手段を用いることによって、破壊保護システムと取り外し防止システムとを、舌片の同一の側部に配置することができる。
【００１２】
本発明の別の一態様によれば、弾性手段は、挿入部材とピンとの間の、圧縮状態にあるばねである。
【００１３】
本発明の別の一態様によれば、挿入部材は、第１の保持手段によって所定の位置に保たれており、ピンは、第２の保持手段によって所定の位置に保たれている。
【００１４】
本発明の別の一態様によれば、第１の保持手段は、ハウジングの延長部である。
【００１５】
本発明の別の一態様によれば、第２の保持手段は、盗難防止ステアリングコラムロック装置の支持構造部材に取り付けられており、弾性手段の及ぼす力に抗して、ピンを支持している固定板である。
【００１６】
本発明の別の一態様によれば、第２の保持手段は、弾性手段の及ぼす力に抗して、ピンを支持している、盗難防止ステアリングコラムロック装置のハウジングの突出部である。
【００１７】
本発明の別の一態様によれば、盗難防止ステアリングコラムロック装置は、弾性手段のための少なくとも１つの案内手段を、さらに備えている。
【００１８】
本発明の別の一態様によれば、挿入部材は、少なくとも１つの案内手段を有している。
【００１９】
本発明の別の一態様によれば、挿入部材は、少なくとも２つの案内手段を有しており、これらの少なくとも２つの案内手段の各々は、弾性手段の対向し合う２つの側部のうちのいずれか一方に位置している。
【００２０】
本発明の別の一態様によれば、ピンは、少なくとも１つの案内手段を有している。
【００２１】
本発明の別の一態様によれば、ピンは、少なくとも２つの案内手段を有しており、これらの少なくとも２つの案内手段の各々は、弾性手段の対向し合う２つの側部のいずれか一方に位置している。
【００２２】
本発明の別の一態様によれば、ピンは、ステアリングコラムと組み合うことができる側方張り出しを有している。
【００２３】
本発明は、さらに、上述のいずれか１つの盗難防止ステアリングコラムロック装置を備えている自動車を提供するものである。
【図面の簡単な説明】
【００２４】
【図１】従来技術による盗難防止ステアリングコラムロック装置の概略的な断面図である。
【図２】本発明の第１の実施形態による盗難防止ステアリングコラムロック装置の概略的な部分斜視図である。
【図３】図２の盗難防止ステアリングコラムロック装置を、別の角度から見た概略的な部分斜視図である。
【図４】本発明の第２の実施形態による盗難防止ステアリングコラムロック装置の正面図である。
【図５】本発明の第３の実施形態による盗難防止ステアリングコラムロック装置の概略的な断面図である。
【発明を実施するための形態】
【００２５】
次に、添付図面を参照して、本発明を詳しく説明する。
【００２６】
添付図面において、同等の要素には、同一の符号を付してある。
【００２７】
図２は、ステアリングコラムをロック／ロック解除するための盗難防止ステアリングコラムロック装置１を示している。この盗難防止ステアリングコラムロック装置１は、ステアリングコラム（図示せず）をロックしているロック位置と、解放している解放位置との間で変位可能である舌片３を備えている。この舌片３、および舌片３の変位を可能にするシステム、例えば電気システムは、それらを保護するためのハウジング１２（部分的に示されている）によって覆われている。
【００２８】
盗難防止ステアリングコラムロック装置１は、盗難防止ステアリングコラムロック装置１の破壊保護システム（ＢＯＳＳ）を備えている。盗難防止ステアリングコラムロック装置１のこの破壊保護システムは、盗難防止ステアリングコラムロック装置１のハウジングに対する物理的な攻撃に応答して、舌片３が、そのロック位置から外されることを阻止するために解放されて、舌片３に形成されている第１の通路３５内に挿入される挿入部材５を備えている。第１の通路３５は、舌片３がロック位置にあるときに、挿入部材５に正確に対面しているように、舌片３に形成されている。挿入部材５は、ハウジング１２に連結されている第１の保持手段１４によって保持されている。
【００２９】
したがって、自動車泥棒が、ステアリングコラムのロックを解除するためにハウジング１２を取り除こうとすると、その自動車泥棒は、第１の保持手段１４も取り除くこととなる。それによって、挿入部材５は、保持手段１４から解放され、第１の通路３５内に入り込み、ロック位置からの舌片３の変位を阻止する。
【００３０】
盗難防止ステアリングコラムロック装置１は、さらに、取り外し防止システムを備えている。この取り外し防止システムは、舌片３が解放位置にあるときしか、舌片３に形成されている第２の通路３７内に挿入されることのないピン７を有している。第２の通路３７は、舌片３の、第１の通路３５の形成されている面と同じ面に形成されている。第２の通路３７は、さらに、舌片３が解放位置にあるときに、ピン７に正確に対面するように、舌片３内に形成されている。ピン７は、ステアリングコラムからの盗難防止ステアリングコラムロック装置１の取り外しを阻止するために、ステアリングコラム（図示せず）内に嵌め込むことができる横方向張り出し７１を有している。舌片３が、ステアリングコラムをロックしているロック位置にあるときには、盗難防止ステアリングコラムロック装置１の取り外しは、ステアリングコラム内に嵌め込まれている横方向張り出し７１によって阻止されるから、不可能であり、また、舌片３が存在するから、ピン７を押すことはできない。
【００３１】
誰かが、盗難防止ステアリングコラムロック装置１全体を取り外そうとすると、その人間は、ステアリングコラムから盗難防止ステアリングコラムロック装置１を切り離すために、横方向張り出し７１を、したがって、ピン７を押さなければならない。ピン７を押すことは、舌片３が解放位置にあり、第２の通路３７がピン７の正面にあるときしか可能ではない（さもなければ、ピン７は舌片３によって遮られる）。
【００３２】
図２〜図５に示すように、盗難防止ステアリングコラムロック装置１の破壊保護システムと取り外し防止システムとは、舌片３の同一の側部に位置している。これら２つのシステムは、互いに機械的に接続されている。すなわち、破壊保護システムの挿入部材５とピン７とは、互いに機械的に接続されている。挿入部材５とピン７とのこの接続は、挿入部材５とピン７との間に、弾性手段９（例えばばね）を配置することによって行われる。この弾性手段９は圧縮状態にあり、挿入部材５を舌片３に向かう方向に押し、ピン７を舌片３から遠ざかる方向に押す。挿入部材５は、第１の保持手段１４によって所定の位置に保持され、ピン７は、第２の保持手段１１によって、飛び出さないように止められている。挿入部材とピンとの両方を押すために、単一の弾性手段を用いることによって、破壊保護システムと取り外し防止システムとを、舌片３の同一の側部に配置することができる。
【００３３】
破壊保護システムと取り外し防止システムとが、舌片３の同一の側部に配置されているから、これらの２つのシステムを、盗難防止ステアリングコラムロック装置に組み込むために必要なスペースはかなり小となり、より小型で、より安価（部品数がより少ないから）な盗難防止ステアリングコラムロック装置を供給することが可能になる。
【００３４】
本発明による盗難防止ステアリングコラムロック装置１を可能な限りコンパクトにするために、盗難防止ステアリングコラムロック装置１の破壊保護システムと、取り外し防止システムとを、互いに適合し合うように構成することが好ましい。
【００３５】
第１の保持手段１４は、例えば、弾性手段９の及ぼす力に抗して、挿入部材５の横方向張り出し５１に接している、ハウジング１２からの延長部である場合がある。
【００３６】
第２の保持手段１１は、図１に示すように、支持構造部材３０内の所定の位置にピン７を閉じ込めている、ハウジング１２の一部である場合がある。
【００３７】
または、図５に示すように、第２の保持手段１１は、盗難防止ステアリングコラムロック装置１の支持構造部材３０に取り付けられている固定板７３（図２〜図５に示されている）である場合がある。固定板７３は、ハウジング１２から独立してピン７を固定するために、支持構造部材３０に直接に取り付けられている。この場合には、ハウジング１２が取り外されても、固定板７３が、支持構造部材３０に取り付けられており、かつ弾性手段９が、挿入部材５に圧力を加え続けることができるから、ピン７および弾性手段９は、依然として所定の位置に保たれる。
【００３８】
盗難防止ステアリングコラムロック装置１は、さらに、弾性手段９を案内する少なくとも１つの案内手段２０５、２０７を備えている。これらの案内手段２０５、２０７は、挿入部材５および／またはピン７に備えられており、弾性手段９をまっすぐに保つために弾性手段９の内部に、または弾性手段９の少なくとも１つの側部に配置されている。
【００３９】
図２および図３に示す第１の実施形態において、挿入部材５とピン７は、それぞれ、少なくとも２つの案内手段２０５、少なくとも２つの案内手段２０７を備えている。挿入部材５、ピン７は、どちらも弾性手段９の対向し合う２つの側部にまたがって形成されており、それぞれ、少なくとも２つの案内手段２０５、少なくとも２つの案内手段２０７を、両側部に備えている。
【００４０】
図４に示す第２の実施形態において、挿入部材５、ピン７は、それぞれ１つの案内手段２０５、１つの案内手段２０７を備えている。案内手段２０５、２０７は、弾性手段９の対向し合う２つの側部に位置するように、それぞれ、挿入部材５、ピン７に備えられている。
【００４１】
当然ながら、ただ１つの案内手段２０５または２０７が、挿入部材５とピン７とのうちの一方だけに設けられており、弾性手段９が、例えばばねである場合には、弾性手段９の内部に配置されていることもある。あるいは、案内手段２０５と２０７とが、弾性手段９の内部と側部とに配置されるように組み合わされていることもある。
【００４２】
図２〜図４に示す２つの実施形態において、第１および第２の通路３５および３７、および舌片３は、同一面上にある。しかしながら、本発明の範囲を逸脱することなく、舌片３がロック位置にあるときには、第１の通路３５が、挿入部材５の正面になり、また舌片３が解放位置にあるときには、第２の通路３７が、ピン７の正面になる限り、２つの通路を、上述とは異なる位置に配置することも可能である。
【００４３】
上述のように、破壊保護システムおよび取り外し防止システムの、本発明による構造配置は、盗難防止機能を損なうことなく、盗難防止ステアリングコラムロック装置のサイズ、部品数、およびコストの減少を可能にする。さらに、２つの盗難防止システムにおいて、破壊保護システムおよび取り外し防止システムは、適切に配置されており、機能的である。
【符号の説明】
【００４４】
１  盗難防止ステアリングコラムロック装置
３  舌片
５  挿入部材
７  ピン
９  弾性手段
１１  第２の保持手段
１２  ハウジング
１４  第１の保持手段
３０  支持構造部材
３５  第１の通路
３７  第２の通路
５１，７１  横方向張り出し
７３  固定板
２０５、２０７  案内手段
【図１】
0006511057.tif 000002
【図２】
0006511057.tif 000003
【図３】
0006511057.tif 000004
【図４】
0006511057.tif 000005
【図５】
0006511057.tif 000006